(57)【要約】【課題】  主パック電池を内蔵する電子機器の充電回路、システムを簡単にすることが可能な外部補助用のパック電池を提供することを目的とする。【解決手段】  電子機器Ｂに直流電力を供給するパック電池Ａであって、該パック電池Ａ内に内蔵される２次電池１と、外部直流電源Ｃを電源として２次電池１を充電する充電回路と、２次電池１からの電力を電子機器Ｂに供給する放電回路とを備えると共に、充電回路、放電回路をバイパスして、外部直流電源Ｃからの電力を電子機器Ｂに供給するバイパス回路を有することを特徴とする。【選択図】  図１
2007110820.tif 000002
【特許請求の範囲】
【請求項１】
電子機器に直流電力を供給するパック電池であって、
該パック電池内に内蔵される２次電池と、外部直流電源を電源として前記２次電池を充電する充電回路と、前記２次電池からの電力を前記電子機器に供給する放電回路とを備えると共に、
前記充電回路、前記放電回路をバイパスして、前記外部直流電源からの電力を前記電子機器に供給するバイパス回路を有することを特徴とするパック電池。
【請求項２】
前記パック電池は、制御部と、前記電子機器の挿脱を検出する挿脱検出手段と、前記外部直流電源の挿脱を検出する挿脱検出手段とを備え、
前記挿脱検出手段にて前記電子機器及び前記外部直流電源の装着が検出されたとき、前記制御部は、前記バイパス回路を介して、前記外部直流電源の電力を、前記電子機器に供給するよう制御することを特徴とする請求項１のパック電池。
【請求項３】
前記電子機器に前記外部直流電源の電力を供給するとき、所定値以上の電流が供給された場合、前記制御部は前記バイバス回路にて電力を供給することを特徴する請求項２のパック電池。
【発明の詳細な説明】
【技術分野】
【０００１】
本発明は、パック電池に関する。
【背景技術】
【０００２】
従来のパック電池、電子機器については、以下の特許文献に開示される。この公報においては、充放電回路を内蔵した電子機器において、電子機器に取り付け自在に内蔵される主パック電池と、電子機器の外側に取り付ける補助パック電池とが開示されている。そして、両パック電池を充電する場合は、外部直流電源より直流電力を充放電回路に供給し、充放電回路の指令により、主パック電池又は補助パック電池のいずれかを選択的に充電している。
【特許文献１】特開平１０−９７８７５号公報
【発明の開示】
【発明が解決しようとする課題】
【０００３】
上記従来のような電子機器においては、主パック電池又は補助パック電池を選択的に充電する充放電回路は、複雑なものであり、仮に、使用者が、補助パック電池を使用しないなら、このような充放電回路の機能は、不要なものとなる。
【０００４】
本発明は、このような問題点を解決するために成されたものであり、主パック電池を内蔵する電子機器の充電回路、システムを簡単にすることが可能な外部補助用のパック電池を提供することを目的とする。
【課題を解決するための手段】
【０００５】
本発明のパック電池は、電子機器に直流電力を供給するパック電池であって、該パック電池内に内蔵される２次電池と、外部直流電源を電源として２次電池を充電する充電回路と、２次電池からの電力を前記電子機器に供給する放電回路とを備えると共に、充電回路、放電回路をバイパスして、外部直流電源からの電力を前記電子機器に供給するバイパス回路を有することを特徴とする。
【０００６】
また、パック電池は、制御部と、電子機器の挿脱を検出する挿脱検出手段と、外部直流電源の挿脱を検出する挿脱検出手段とを備え、挿脱検出手段にて電子機器及び外部直流電源の装着が検出されたとき、制御部は、バイパス回路を介して、外部直流電源の電力を、電子機器に供給するよう制御することを特徴とする。
【０００７】
そして、パック電池は、電子機器に外部直流電源の電力を供給するとき、所定値以上の電流が供給された場合、制御部はバイバス回路にて電力を供給することを特徴する。
【発明の効果】
【０００８】
本発明においては、充電回路、放電回路をバイパスして、前記外部直流電源からの電力を前記電子機器に供給するバイパス回路を有するので、外部直流電源の電力を、直接に、電子機器に供給することができる。
【０００９】
そして、パック電池に内蔵される２次電池を充電することなく、バイパス回路を介して、電子機器に直流電力を供給することができるので、電子機器において、従来のように電子機器内の充電回路にて内蔵電池、外部電池を選択的に充電する機能が不要となる。
【００１０】
また、外部直流電源（通常は、交流商用電源を直流電源に変換するACアダプター）においては、バイパス回路を介して、直接、電子機器に供給することができることより、電子機器に電力供給する電気的仕様（定格電圧、定格電流等）が、パック電池に電力供給する電気的仕様と同様となるために、パック電池に利用する外部直流電源を、そのまま、電子機器に使用することが可能である。
【発明を実施するための最良の形態】
【００１１】
本発明の実施例を、図を用いて詳細に説明する。図１、９に示すように、本実施例においては、携帯電話等の２次電池(図示せず)を内蔵する電子機器Ｂと、これの外側に取り付けたり、電気コードにて電気的に接続された外部補助用のパック電池Ａと、交流商用電源を直流電源に変換するＡＣアダプターである外部直流電源Ｃとを備えている。
【００１２】
外部直流電源Ｃは、電子機器Ｂに内蔵される２次電池、後述するパック電池Ａ内の電池１が、リチウムイオン電池であるなら、最大の電流、電圧を規制した定電流・定電圧（約５．４Ｖ）電力を供給する。また、外部直流電源Ｃは、図示しないが、電子機器Ｂに、直接接続して、上記の定電圧（約５．４Ｖ）・定電流電力を提供することもできる。
【００１３】
パック電池Ａにおいては、リチウムイオン電池等の２次電池１と、電池１の充放電を監視、制御する制御部であるマイクロプロセッサーユニットＭＰＵ(以下、マイコンと記す）と、電池１の充電時の電流を検出する抵抗等からなる充電電流検出部２−１と、放電時の電流を検出する抵抗等からなる放電電流検出部２−２とを備えている。そして、充電電流検出部２−１と、放電電流検出部２−２は、後述するバイパス回路にて外部直流電源Ｃの電力を電子機器Ｂに供給するときに、供給される電流を測定するのにも利用される。また、パック電池Ａ内には、電池１に密接して配置されたサーミスタを含む温度検出部３が設けられている。
【００１４】
また、電池１に接続されて、マイコンＭＰＵの充放電制御が正常に機能しない場合等や、急激な過電流が流れたときに働く保護回路４−１が設けられ、電池１の電圧、電流が基準値を超えたときに遮断動作をする保護用ＦＥＴ等からなる保護スイッチ４−２を有している。
【００１５】
また、パック電池Ａにおいては、外部直流電源Ａからの電力を、直接、電子機器Ｂに供給できるように、バイパス回路に設けられたマイコンＭＰＵにて制御されるＦＥＴ等からなるバイパス電流制御素子６を備えている。
【００１６】
マイコンＭＰＵにおいては、電池電圧(測定箇所Ｖ）、抵抗を利用した上記２つの電流検出部２からの出力のアナログ電圧が電流増幅アンプ２−３を介して入力され、また、サーミスタである温度検出部３からの出力のアナログ電圧が入力され、デジタル変換し、実電圧[mV]や実電流値[mA]に換算するＡ／Ｄ変換部（図示せず）が設けられている。そして、Ａ／Ｄ変換部からの出力が、マイコンＭＰＵ内の充電制御部（図示せず）に入力されて、演算、比較、判定等が行われて、この充電制御部からの信号で、充電回路に設けられたＦＥＴ等からなる充電制御素子５−１を、放電回路に設けられた放電制御素子５−２を、オンオフ制御する。周知技術を利用して、マイコンＭＰＵ内の充電制御部においては、充放電電流を積算して残容量を演算処理している。この演算された残容量にて、電池１の満充電を検出することも可能である。また、プラス出力側の測定箇所Ｘにおいて、電圧を測定して、電圧降下異常等のときに、放電停止等の制御をしている。
【００１７】
また、リチウムイオン電池１においては、通常、約４．２Ｖ定電圧充電されることより、外部直流電源Ｃより供給される電圧は、約５．４Ｖと高いため、充電時においては、充電制御素子５−１をオンオフとしてパルス充電を行い、充電電圧の平均値を低下させている。また、このような充電制御素子５−１に代わって、このような充電制御素子５−１をスイッチング素子として含むＤＣ／ＤＣ降圧コンバータを利用しても良い。
【００１８】
また、リチウムイオン電池１の出力電圧は、約２．７〜４．２Ｖであり、電子機器Ｂの入力電圧は、約５．４Ｖを要求されることより、パック電池Ａ内には、電池１の電圧を昇圧するためのＤＣ／ＤＣ昇圧回路７を備えている。そして、リチウムイオン電池を内蔵する電子機器Ｂにおいて、外部直流電源Ｃより約５．４Ｖが供給されるので、電子機器Ｂ内部に、ＤＣ／ＤＣ降圧コンバータ（図示せず）を備え、降圧された電圧約４．２Ｖで充電される。
【００１９】
また、パック電池Ａにおいては、外部直流電源Ｃの出力電圧を測定することにより、外部直流電源Ｃの挿脱を検出する挿脱検出手段である接続検出回路８−１を備え、電子機器Ｂを外したときにプルアップ電圧、電子機器Ｂの装着時にプルダウン電圧を測定することにより、電子機器Ｂの挿脱を検出する挿脱検出手段である接続検出回路８−２を備え、接続検出回路８−１、８−２からの検出出力を得て、各々の挿脱を検知している。
【００２０】
また、マイコンＭＰＵにおいては、演算された残容量を表示するために、複数のＬＥＤ９−１を点滅表示させている。このようなＬＥＤ９−１による容量の表示は、電池１が充電されるときに、表示され、また、充電時以外においては、パック電池Ａの外表面に設置された押圧スイッチであるＬＥＤスイッチ９−２を押すことで、所定時間の間（例えば、数秒間）ＬＥＤ９−１を点灯させることができる。このようなＬＥＤ９−１による容量表示においては、例えば、ＬＥＤ９−１を２個とし、容量１００〜５０％においてはＬＥＤを２個点灯、容量５０〜２５％においてはＬＥＤを１個点灯、容量２５〜５％においてはＬＥＤを１個点滅、容量５％未満においてはＬＥＤ全部消灯することで、各容量を表示することができる。
【００２１】
本実施例においては、図２に示すように、ＡＣアダプタである外部直流電源Ｃ（＝ＡＣアダプタＣ）、携帯電話である電子機器Ｂ（＝携帯電話Ｂ）の接続状態に応じて、次のモードを判別して、バッテリであるパック電池Ａ（＝バッテリＡ）により充電等の制御が行われる。
【００２２】
モード０において、バッテリＡ、ＡＣアダプタＣ、携帯電話Ｂに接続されることなく、保管される場合である。このときは、ＡＣアダプタＣ、携帯電話Ｂが抜かれていることを、バッテリＡ内のマイコンＭＰＵが認識して、このモード０であることを識別することより、充電制御ＦＥＴ５−１、放電制御ＦＥＴ５−２がオフとされる。
【００２３】
モード１においては、バッテリＡが、携帯電話Ｂが接続された状態であって、バッテリＡから携帯電話Ｂに放電を行い、携帯電話Ｂに電力を供給し、携帯電話Ｂに内蔵される２次電池を充電する。
【００２４】
モード１においては、ＡＣアダプタＣが抜かれていること、携帯電話Ｂが装着されていることを、バッテリＡ内のマイコンＭＰＵが認識して、このモード１であることを識別することより、充電制御ＦＥＴ５−１をオフとし、放電制御ＦＥＴ５−２がオンとされる。そして、バッテリＡからの放電は、バッテリ１の容量がゼロになるまで行われ、容量がゼロになると、マイコンＭＰＵからの指示で、放電制御ＦＥＴ５−２がオフとされる。
【００２５】
モード２においては、ＡＣアダプタＣが、バッテリＡに接続された状態であって、ＡＣアダプタＣからバッテリＡを充電する。モード２においては、携帯電話Ｂが抜かれていること、ＡＣアダプタＣが装着されていることを、バッテリＡ内のマイコンＭＰＵが認識して、このモード２であることを識別することより、充電制御ＦＥＴ５−１をオンとし、放電制御ＦＥＴ５−２がオフとされる。そして、バッテリＡからの充電は、バッテリ１が満充電になるまで行われ、満充電になると、マイコンＭＰＵからの指示で、充電制御ＦＥＴ５−１がオフとされる。
【００２６】
以上のモード１〜３においては、初期状態においては、バイパスＦＥＴ６は、オフ状態である。
【００２７】
モード３においては、ＡＣアダプタＣ及び携帯電話Ｂが、バッテリＡに接続された状態であって、以下のような動作を行う。
【００２８】
まず、バイパスＦＥＴ６をオンにして、ＡＣアダプタからの電力、電圧を携帯電話Ｂに印加して、電流が流れるようであれば、携帯電話Ｂが電力の供給が必要な場合（例えば、携帯電話Ｂを使用するとき、及び／又は、内蔵２次電池に充電が必要な場合）として、バイパス回路から電力を供給する。このとき、充電制御ＦＥＴ５−１、放電制御ＦＥＴ５−２はオフである。その後、電流が流れないようであれば、携帯電話Ｂが電力の供給が不要な場合（例えば、携帯電話Ｂを使用せず、内蔵２次電池も満充電の場合）として、バイパスＦＥＴ６をオフ、充電制御ＦＥＴ５−１をオンとして、バッテリＡ内の電池１を充電する。電池１が満充電となったなら、充電制御ＦＥＴ５−１をオフとする。バイパスＦＥＴ６をオンとして、携帯電話Ｂに電力を供給できる状態とする。これは、携帯電話Ｂが電力の供給が必要な場合（例えば、携帯電話Ｂを使用するとき、及び／又は、内蔵２次電池に充電が必要な場合）は、バイパスＦＥＴ６から電力を供給することができるからである。
【００２９】
以上のモードにおいて、携帯電話Ｂに電力が供給されるとき、携帯電話Ｂにおいては、内蔵の２次電池を充電しつつ、電話、通信等の機能を動作させてもいいし、停止しても良い。また、これに代わって、携帯電話Ｂの機能により、携帯電話Ｂに内蔵される２次電池を充電することなく、携帯電話Ｂの通話、通信等の動作機能に電力が利用されることも可能である。
【００３０】
本実施例において、上述のように、バッテリＡ、携帯電話Ｂ、ＡＣアダプタＣの接続状態により、モード０〜３の方式にて、充電、放電等の各種処理が進むことになる。図３を用いて、本実施例における充電、放電等の各種処理を説明する。
【００３１】
バッテリＡのマイコンＭＰＵに制御されて、ステップＳ１において各種設定値の初期化処理を行った後、ステップＳ２において、測定箇所Ｖにて電池１の電圧等の各種を測定して、過放電、過充電状態等の検出を行い、ステップＳ３において、電流検出部２−１、２−２にて、電流を測定して、電流積算による電池容量等に利用し、ステップＳ４において、ＡＣアダプタＣの挿脱を接続検出回路８−１、携帯電話Ｂの挿脱を接続検出回路８−２にて検出している。このステップＳ４での挿脱状態の判定により、ステップＳ５において、上述のモード０〜３に属するかを判定する。
【００３２】
各モードの詳細なフローについては、後述する。各モードの処理の後、ステップＳ７においては、過放電、過充電、大電流等から保護するために、マイコンＭＰＵで、保護処理を行う。そして、ステップＳ８においては、各モードにおいて、フラグクリアされたＦＥＴをオフとし、フラグセットされたＦＥＴをオンとする。また、ステップＳ９にて、マイコンＭＰＵにおいて演算された残容量に応じて、ＬＥＤ表示を制御し、そして、ステップＳ１０にて、ステップＳ２からの経過時間が、２５０msecになるまで、待機（＝ウエイト）する。そして、以上のステップＳ２〜Ｓ１０のフローを、２５０msec毎に、繰り返すことになる。
【００３３】
図３のステップＳ６−０のモード０のフローを、図４に示す。モード０は上述のように、バッテリＡ、ＡＣアダプタＣ、携帯電話Ｂに接続されることなく、保管される場合であって、ステップＳ０１において、周知技術に従って、残容量８％、３％、０％等に対応した電池電圧となったときに、電流積算した残容量を、補正する。ステップＳ０２にて充電制御ＦＥＴ５−１、ステップＳ０３にて放電制御ＦＥＴ５−２のフラグをクリアし、ステップＳ０４にてバイパスＦＥＴ６のフラグをクリアする。その後、図３のステップＳ７以降に進み、ステップＳ８においては、各ＦＥＴのフラグがクリアされていることより、各ＦＥＴをオフとする。そして、図３のステップＳ２〜Ｓ１０のループにより、各ＦＥＴのオフが維持されることになる。
【００３４】
図３のステップＳ６−１のモード１のフローを、図５に示す。モード１は上述のように、バッテリＡが、携帯電話Ｂが接続された状態であって、バッテリＡから携帯電話Ｂに放電を行い、携帯電話Ｂに電力を供給する。ステップＳ１１において、周知技術に従って、マイコンＭＰＵ内にて、電流積算による容量演算を行い、ステップＳ１２では、残容量８％、３％、０％等に対応した電池電圧となったときに、電流積算した残容量を、補正する。
【００３５】
ステップＳ１３においては、電池１の残容量がゼロかどうかを判定し、ゼロでない場合（＝容量が残っている場合）、ステップＳ１４にて、放電制御ＦＥＴ５−２のフラグをセットし、ステップＳ１５にて充電制御ＦＥＴ５−１のフラグをクリアし、ステップＳ１６にてバイパスＦＥＴ６のフラグをクリアする。その後、図３のステップＳ７以降に進み、ステップＳ８においては、放電制御ＦＥＴ５−２をオンし、充電制御ＦＥＴ５−１、バイパスＦＥＴ６をオフする。また、ステップＳ１３にて、残容量がゼロ（或いは少ない量）と判定された場合は、ステップＳ１７にて、容量ゼロのフラグをセットし、ステップＳ１８にて、放電制御ＦＥＴ５−２のフラグをクリアすることになる。そして、ステップＳ１５、図３のフローに至り、ステップＳ８にて、放電制御ＦＥＴ５−２がオフされる。このように、電池１の残容量がゼロとなると、放電が停止されることになる。そして、図３のステップＳ２〜Ｓ１０のループにより、各ＦＥＴのオフが維持されることになる。
【００３６】
このように、モード１においては、電池１の残容量がゼロでない場合は、放電制御ＦＥＴ５−２をオンして、電力を携帯電話Ｂに供給、或いは、供給可能状態とすることになる。このモード１においては、携帯電話Ｂが電力の供給が不要な場合（例えば、携帯電話Ｂを使用せず、内蔵２次電池も満充電の場合）は、携帯電話Ｂ内部の通電素子をオフして、電力の供給を遮断することになる。
【００３７】
図３のステップＳ６−２のモード２のフローを、図６に示す。モード２は上述のように、ＡＣアダプタＣが、バッテリＡが接続された状態であって、ＡＣアダプタＣからバッテリＡを充電する。ステップＳ２１において、周知技術に従って、マイコンＭＰＵ内にて、電流積算による容量演算を行い、ステップＳ２２では、電池１が満充電であるときに、電流積算した残容量を１００％に補正する。
【００３８】
ステップＳ２３においては、バッテリＡ内の電池１の満充電フラグが１からどうかを判定する。１でないなら、満充電でないので、ステップＳ２４において、マイコンＭＰＵが、充電制御ＦＥＴ５−１をオンオフして、パルス充電する。続いて、ステップＳ２５、Ｓ２６にて、電池１が、満充電かどうかを判定する。このような判定は、充電電流が規定値以下かどうかで判定され、規定値以下なら満充電と判定する。満充電でないなら、ステップＳ２７において、放電制御ＦＥＴ５−２のフラグをクリアし、ステップＳ２８にてバイパスＦＥＴ６のフラグをクリアする。
【００３９】
ステップＳ２６にて、満充電と判定すると、ステップＳ４１にて、満充電のフラグをセットし、ステップＳ４２にて、充電制御ＦＥＴ５−１のフラグをクリアする（その後、ステップＳ８にて充電制御ＦＥＴ５−１をオフ）。
【００４０】
ステップＳ２３において、電池１の満充電フラグが１であるなら、ステップＳ３０にて、電池１の電圧が、再充電が必要な電圧閾値であるかどうかを判定する。これは、満充電の後、電池１の自己放電により残容量が低下して電圧が下がり、再充電が必要かを判定している。電圧が閾値以下であるなら、ステップＳ３１にて、満充電フラグをクリアし、充電制御ＦＥＴ５−１のフラグをセット（その後、ステップＳ８にて充電制御ＦＥＴ５−１をオンする）する。
【００４１】
また、ステップＳ３０において、電圧が閾値以上であるなら、充電は不要であるので、ステップＳ３３にて、充電制御ＦＥＴ５−１のフラグをクリアする（その後、ステップＳ８にて充電制御ＦＥＴ５−１をオフ）。
【００４２】
そして、図３のステップＳ２〜Ｓ１０のループを繰り返すことになる。
【００４３】
このように、モード２は上述のように、ＡＣアダプタＣが、バッテリＡが接続された状態であって、ＡＣアダプタＣからバッテリＡを充電する。そして、電池１が満充電となるように充電され、満充電後、自己放電にて容量が低下した場合は、再度、満充電となるように充電している。
【００４４】
図３のステップＳ６−３のモード３のフローを、図７、８に示す。モード３は上述のように、ＡＣアダプタＣ及び携帯電話Ｂが、バッテリＡに接続された状態である。まず、図７において、ステップＳ５１において、携帯電話Ｂの内蔵される２次電池が満充電のフラグが１かどうかを判定する。
【００４５】
ここでの携帯電話Ｂに内蔵される２次電池が満充電とは、ＡＣアダプタＣからの電力、電圧を携帯電話Ｂに印加して、電流が流れない状態を意味する。換言するなら、携帯電話Ｂが電力供給を受ける必要がある状態を意味する。２次電池が満充電であっても、携帯電話Ｂを通話等にて利用しているときは、電力供給を受け電流が流れるので、図７のフローの表現においては、携帯電話Ｂの２次電池が満充電でないことになる。
【００４６】
ステップＳ５１にて、満充電のフラグが１でないときは、ステップＳ５２、Ｓ５３にて、携帯電話Ｂに内蔵される２次電池が満充電であるかどうかを検出する。ここでは、ＡＣアダプタＣの電圧を印加して、携帯電話Ｂに電流が規定値以下かどうかで検出する。電流値が規定値以上であるなら、２次電池が満充電でない（＝携帯電話Ｂが電力供給を受ける必要がある状態）として、ステップＳ５４にて、バイパスＦＥＴ６のフラグをセットし（その後、ステップＳ８にてバイパスＦＥＴ６をオンする）、ステップＳ５５、Ｓ５５にて、充電制御ＦＥＴ５−１、放電制御ＦＥＴ５−２のフラグをクリアする（その後、ステップＳ８にて両ＦＥＴをオフする）。このような電流値の規定値は、携帯電話Ｂの待ち受け状態で消費される電流より大きく設定される。
【００４７】
ここで、モード３の最初のフローにおいては、図３のステップＳ１で、初期値化していることより、バイパスＦＥＴ６のフラグはクリアされ、オフの状態であり、ステップＳ５２、Ｓ５３にて、電流が流れず満充電状態と判定されるところであるが、ステップＳ５２、Ｓ５３においては、バイパスＦＥＴ６がオン状態で、電流値にて判定する条件であるので、バイパスＦＥＴ６がオフ状態においては、満充電でないと判定し、ステップＳ５４に進むことになる。
【００４８】
ステップＳ５３において、電流が規定値より下で、満充電と判定したときは（＝携帯電話Ｂが電力供給を受ける必要がない状態）、充電を完了するために、ステップＳ５７にて、携帯電話Ｂの２次電池が満充電とのフラグをセットし、ステップＳ５８にて、バイパスＦＥＴ６のフラグをクリアする（その後、ステップＳ８にてバイパスＦＥＴ６をオフする）。
【００４９】
また、ステップＳ５１において、満充電のフラグが１であるなら、携帯電話Ｂの２次電池が満充電であるので、次に、バッテリＡ内の電池１を充電する手続きに進む。ステップＳ６０においては、周知技術に従って、マイコンＭＰＵ内にて、電流積算による容量演算を行い、ステップＳ６１では、電池１が満充電であるときに、電流積算した残容量を１００％に補正する。ステップＳ６２においては、バッテリＡ内の電池１の満充電フラグが１からどうかを判定する。１でないなら、満充電でないので、ステップＳ６３において、マイコンＭＰＵが、充電制御ＦＥＴ５−１をオンオフして、パルス充電する。続いて、ステップＳ６４、Ｓ６５にて、電池１が、満充電かどうかを判定する。このような判定は、充電電流が規定値以下かどうかで判定され、規定値以下なら満充電と判定する。満充電でないなら、ステップＳ６６において、放電制御ＦＥＴ５−２のフラグをクリアし（その後、ステップＳ８にて放電制御ＦＥＴ５−２をオフ）、ステップＳ６７にてバイパスＦＥＴ６のフラグをクリアする（その後、ステップＳ８にてバイパスＦＥＴ６をオフ）。
【００５０】
ステップＳ６５にて、満充電と判定すると、ステップＳ６８にて、満充電のフラグをセットし、ステップＳ６９にて、充電制御ＦＥＴ５−１のフラグをクリアする（その後、ステップＳ８にて充電制御ＦＥＴ５−１をオフ）。
【００５１】
また、ステップＳ６２において、電池１の満充電フラグが１であるなら、図８のステップＳ７０にて、電池１の電圧が、再充電が必要な電圧閾値であるかどうかを判定する。これは、満充電の後、電池１の自己放電により残容量が低下して電圧が下がり、再充電が必要かを判定している。電圧が閾値以下であるなら、ステップＳ７１にて、満充電フラグをクリアし、ステップＳ７２にてバイパスＦＥＴ６のフラグをクリアし（その後、ステップＳ８にてバイパスＦＥＴ６をオフ）、ステップＳ７３にて、充電制御ＦＥＴ５−１のフラグをセットし（その後、ステップＳ８にて充電制御ＦＥＴ５−１をオンする）、ステップＳ７４にて、放電制御ＦＥＴ５−２のフラグをクリア（その後、ステップＳ８にて放電制御ＦＥＴ５−２をオフ）する。
【００５２】
また、ステップＳ７０において、電圧が閾値以上であるなら、充電は不要であるので、ステップＳ７５にて、充電制御ＦＥＴ５−１のフラグをクリアする（その後、ステップＳ８にて充電制御ＦＥＴ５−１をオフ）。ステップＳ７６にて、バイパスＦＥＴ６のフラグをセット（その後、ステップＳ８にてバイパスＦＥＴ６をオン）する。そして、図３のステップＳ２〜Ｓ１０のループを繰り返すことになる。
【００５３】
このように、モード３は、まず、バイパスＦＥＴ６をオンにして、ＡＣアダプタＣからの電力、電圧を携帯電話Ｂに印加して、電流が流れるようであれば、携帯電話Ｂが電力の供給が必要な場合（例えば、携帯電話Ｂを使用するとき、及び／又は、内蔵２次電池に充電が必要な場合）として、バイパス回路から電力を供給する。このとき、充電制御ＦＥＴ５−１、放電制御ＦＥＴ５−２はオフである。その後、電流が流れないようであれば、携帯電話Ｂが電力の供給が不要な場合（例えば、携帯電話Ｂを使用せず、内蔵２次電池も満充電の場合）として、バイパスＦＥＴ６をオフ、充電制御ＦＥＴ５−１をオンとして、バッテリＡ内の電池１を充電する。電池１が満充電となったなら、充電制御ＦＥＴ５−１をオフとする。そして、バイパスＦＥＴ６をオンとして、携帯電話Ｂに電力を供給できる状態とする。これは、携帯電話Ｂが電力の供給が必要な場合（例えば、携帯電話Ｂを使用するとき、及び／又は、内蔵２次電池に充電が必要な場合）は、バイパスＦＥＴ６から電力を供給することができるからである。
【００５４】
なお、本実施例において、以下のような追加の機能を追加することも可能である。パック電池Ａにおいては、電池１の残容量を演算し、その時点での残容量で、携帯電話Ｂの内蔵する２次電池を０％から満充電（＝公称容量）まで、何回充電できるかを計算して、表示する機能を備えることもできる。また、電池１より放電した容量を、表示することもできる。
【００５５】
また、上記の何回充電できるかの回数の演算、表示を、携帯電話Ｂにて、行ってもよい。同様に、上記放電した容量を、携帯電話Ｂにて表示してもよい。この場合は、パック電池Ａと携帯電話Ｂとの間で、情報の通信をおこなう等が必要である。
【図面の簡単な説明】
【００５６】
【図１】本発明のパック電池の回路ブロック図である。
【図２】本発明の実施例における各モードの状態を説明する図である。
【図３】本発明の実施例を示すフローチャートである。
【図４】本発明の実施例のモード０を示すフローチャートである。
【図５】本発明の実施例のモード１を示すフローチャートである。
【図６】本発明の実施例のモード２を示すフローチャートである。
【図７】本発明の実施例のモード３を示すフローチャートである。
【図８】本発明の実施例のモード３を示すフローチャートである。
【図９】本発明の実施例の外観図である。
【符号の説明】
【００５７】
Ａ    電池パック（＝バッテリ）
Ｂ    電子機器（＝携帯電話）
Ｃ    外部直流電源（＝ＡＣアダプタ）
ＭＰＵ  マイクロプロセッサユニット
１  ２次電池
５−１  充電制御素子（＝充電制御ＦＥＴ）
５−２  放電制御素子（＝放電制御ＦＥＴ）
６    バイパス電流制御素子（＝バイパスＦＥＴ）
【図１】
2007110820.tif 000003
【図２】
2007110820.tif 000004
【図４】
2007110820.tif 000005
【図５】
2007110820.tif 000006
【図６】
2007110820.tif 000007
【図７】
2007110820.tif 000008
【図８】
2007110820.tif 000009
【図３】
2007110820.tif 000010
【図９】
2007110820.tif 000011